(57)【特許請求の範囲】
【請求項１】
原稿シートを搬送しながら画像を読み取る場合に用いられる、原稿画像の画像光を透過する第１の透光部材と、
原稿を固定させたまま画像を読み取る場合に用いられる、原稿画像の画像光を透過する第２の透光部材と、
前記第１の透光部材に対応する位置で静止した状態で、該第１の透光部材を透過した原稿画像を読み取る、あるいは、前記第２の透光部材に対応する位置で移動しながら、該第２の透光部材を透過した原稿画像を読み取る読取手段と、
前記第１の透光部材の表面に対してのみ、原稿画像が通過するように原稿シートを搬送する搬送ベルトと、該搬送ベルトを駆動する駆動ローラと、
該搬送ベルトに従動する従動ローラと、を備えた画像読取装置において、
該搬送ベルトによって搬送される原稿シートが、前記第１の透光部材の表面に摺接するように、該搬送ベルトを圧接する圧接手段を備え、
前記駆動ローラ及び前記従動ローラは、前記第１の透光部材表面より高い位置に配置されており、かつ、前記駆動ローラと前記従動ローラに前記搬送ベルトを懸架しただけの前記圧接手段が無い状態において、前記搬送ベルトは、前記第１の透光部材表面に接触しないように配置されており、
前記搬送ベルトが、前記圧接手段により、圧接されることによって、画像読取領域を含む領域でのみ、前記第１の透光部材に摺接するように構成されることを特徴とする画像読取装置。
【請求項２】
前記圧接手段は、前記読取手段による読取位置に対して、前記搬送ベルトを圧接することを特徴とする請求項１に記載の画像読取装置。
【請求項３】
前記圧接手段は、前記読取手段による読取位置の前後の位置で、それぞれ前記搬送ベルトを圧接することを特徴とする請求項１に記載の画像読取装置。
【請求項４】
前記圧接手段は、前記搬送ベルトを直接圧接する圧接部材と、
該圧接部材を前記搬送ベルトに向けて押圧する押圧部材と、を備えることを特徴とする請求項１から３のいずれか一つに記載の画像読取装置。
【請求項５】
前記圧接部材は、前記搬送ベルトに従動するコロであることを特徴とする請求項４に記載の画像読取装置。
【請求項６】
前記圧接手段は、
弾性反発力によって前記搬送ベルトを圧接する弾性部材を有することを特徴とする請求項１から３のいずれか一つに記載の画像読取装置。
【請求項７】
前記弾性部材は、弾性層を有するローラであることを特徴とする請求項６に記載の画像読取装置。
【発明の詳細な説明】
【０００１】
【発明の属する技術分野】
本発明は、画像読取部に向けて原稿シートを搬送するシート搬送装置を備えた画像読取装置に関するものである。
【０００２】
【従来の技術】
従来、複写機、スキャナ、ファクシミリ装置等において、原稿に光を照射する光走査部を所定の原稿読み取り位置に固定させて、原稿処理装置（ＡＤＦ：Ａｕｔｏ  Ｄｏｃｕｍｅｎｔ  Ｆｅｅｄｅｒ）により原稿を移動させながら原稿を読み取る、流し読み方式を採用した画像読取装置が知られている。
【０００３】
このような装置において、読み取りスピードと画質の向上のために、搬送ベルトを用いて、読み取りガラスに対して原稿を押さえ付けながら搬送し、その過程で原稿を読み取るようなＡＤＦが開発されている。
【０００４】
例えば、特開平１１−２１２４２５号公開公報には、固定読取方式における読取位置と、流し読み方式における読取位置が一致している装置に関する技術について開示されている。
【０００５】
ここで、固定読取方式とは、原稿台ガラス上に固定された原稿を、読取手段（例えば光学台）の移動により読み取る方式をいう。一方、流し読み方式とは、搬送ベルトで搬送されている原稿を、所定の原稿読取位置に読取手段（例えば光学台）を固定させて画像を読み取る方式をいう。
【０００６】
固定読取方式を行う場合には、原稿を原稿台ガラス上に載置して読み取りを行う必要があり、原稿全域を確実に原稿ガラス台上に押さえつけないと画質が劣化してしまう。
【０００７】
そのため、上記特開平１１−２１２４２５号公開公報に開示された装置の場合には、固定読取方式における読取部に、搬送ベルトによって原稿を押さえつける必要がある。従って、読み取り可能な最大原稿よりも大きな幅および長さを持つ搬送ベルトを必要とする。
【０００８】
これに対して特開平１１−５９９４９号公開公報には、固定読取方式における読取位置と、流し読み方式における読取位置が異なっている装置に関する技術について開示されている。
【０００９】
この装置では、固定読取方式を用いる場合には、固定原稿用のカバーが、搬送ベルトとは別に設けられている。
【００１０】
従って、流し読み方式に用いる搬送ベルトは、上記特開平１１−２１２４２５号公開公報に開示されたような装置と比較してコンパクトなもので済む。
【００１１】
そして、このような装置においては、搬送ベルトを駆動するための、駆動ローラおよび従動ローラによって、搬送ベルトを流し読みガラスに押し付けるように構成されている。
【００１２】
このようにして、搬送ベルトによって搬送する原稿シートを流し読みガラスに摺動させることで、流し読みガラスの反対側に設けられた光走査部との距離が一定となるようにしていた。
【００１３】
【発明が解決しようとする課題】
しかしながら、上記のような従来技術の場合には、下記のような問題が生じていた。
【００１４】
特開平１１−２１２４２５号公開公報に開示されたような従来技術の場合には、原稿台ガラスに押し付けられた長大なベルトを駆動するために、複雑な機構と強力なモータが必要となっていた。従って、装置が大型化してしまうとともに、コストも高くなってしまっていた。
【００１５】
また、特開平１１−５９９４９号公開公報に開示されたような従来技術の場合には、搬送ベルトの小型化によって、上記従来技術の構成に比べると装置の小型化を図ることができた。
【００１６】
しかし、駆動ローラによって、搬送ベルトを流し読みガラスに押し付ける構造であるために、複雑な構造を要するとともに、ベルトを駆動すると駆動トルクによりベルトが浮き上がってしまうことがあった。
【００１７】
従って、ベルトの浮き上がりにより、搬送されてくる原稿を確実に押さえつけられなくなったり、ベルトに振動が発生してしまったりするため、搬送されてくる原稿の画像を正確に読み取ることができないという問題があった。
【００１８】
さらに、読み取り位置から離れた部分においても搬送ベルトを押し付けるため、搬送ベルトとガラスの摩擦が大きくなり、搬送ベルトを滑らかに駆動するのが難しく、摩擦によって搬送ベルトおよび流し読みガラスが傷んだりしてしまうという問題があった。
【００１９】
本発明は上記の従来技術の課題を解決するためになされたもので、その目的とするところは、簡易な構成で、原稿シートの搬送の安定化を可能とする画像読取装置を提供することにある。
【００２９】
【課題を解決するための手段】
上記目的を達成するために本発明の画像読取装置にあっては、原稿シートを搬送しながら画像を読み取る場合に用いられる、原稿画像の画像光を透過する第１の透光部材と、原稿を固定させたまま画像を読み取る場合に用いられる、原稿画像の画像光を透過する第２の透光部材と、前記第１の透光部材に対応する位置で静止した状態で、該第１の透光部材を透過した原稿画像を読み取る、あるいは、前記第２の透光部材に対応する位置で移動しながら、該第２の透光部材を透過した原稿画像を読み取る読取手段と、前記第１の透光部材の表面に対してのみ、原稿画像が通過するように原稿シートを搬送する搬送ベルトと、該搬送ベルトを駆動する駆動ローラと、該搬送ベルトに従動する従動ローラと、を備えた画像読取装置において、該搬送ベルトによって搬送される原稿シートが、前記第１の透光部材の表面に摺接するように、該搬送ベルトを圧接する圧接手段を備え、前記駆動ローラ及び前記従動ローラは、前記第１の透光部材表面より高い位置に配置されており、かつ、前記駆動ローラと前記従動ローラに前記搬送ベルトを懸架しただけの前記圧接手段が無い状態において、前記搬送ベルトは、前記第１の透光部材表面に接触しないように配置されており、前記搬送ベルトが、前記圧接手段により、圧接されることによって、画像読取領域を含む領域でのみ、前記第１の透光部材に摺接するように構成されることを特徴とする。
【００３０】
従って、駆動ローラなどで、原稿シートを透光部材表面に圧接させる必要はなく、圧接手段によって圧接させればよいので、搬送ベルトを駆動するためのトルクを低減できる。また、搬送ベルトと透光部材の接触範囲を小さくできる。また、第１の透光部材の表面に対してのみ、原稿シートを搬送すればよいので、搬送ベルトをコンパクトにできる。
【００３１】
前記圧接手段は、前記読取手段による読取位置に対して、前記搬送ベルトを圧接するとよい。
【００３２】
前記圧接手段は、前記読取手段による読取位置の前後の位置で、それぞれ前記搬送ベルトを圧接するとよい。
【００３３】
前記圧接手段は、
前記搬送ベルトを直接圧接する圧接部材と、
該圧接部材を前記搬送ベルトに向けて押圧する押圧部材と、を備えるとよい。
【００３４】
前記圧接部材は、前記搬送ベルトに従動するコロであるとよい。
【００３５】
前記圧接手段は、
弾性反発力によって前記搬送ベルトを圧接する弾性部材を有するとよい。
【００３６】
前記弾性部材は、弾性層を有するローラであるとよい。
【００３７】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３８】
（第１の実施の形態）
図１〜図４を参照して、本発明の第１の実施の形態に係るシート搬送装置及び画像読取装置について説明する。ただし、以下の説明では、シート搬送装置を一体的に備えた画像読取装置について説明する。従って、画像読取装置の説明によって、同時にシート搬送装置の説明も行う。
【００３９】
より具体的には、シート搬送装置としてのオートシートフィーダ（以下、ＡＤＦと称する）を具備した、画像読取装置としてのデジタルスキャナを例にして説明する。
【００４０】
このデジタルスキャナは、画像読取専用の装置として単独で利用することもできるし、複写機やファクシミリ装置における画像読取機能を担う装置として、これらの装置と一体的に利用することもできる。
【００４１】
図１は本発明の第１の実施の形態に係る画像読取装置（デジタルスキャナ）の模式的断面図である。
【００４２】
図１に示すように、本実施の形態に係るデジタルスキャナは、概略、スキャナ本体１０１と、このスキャナ本体に着脱自在に構成されたＡＤＦ２０１と、から構成される。
【００４３】
本実施の形態に係るデジタルスキャナは、固定読取方式と流し読み方式のいずれも行うことのできる装置である。ここで、固定読取方式とは、原稿台ガラス上に固定された原稿を、読取手段（例えば光学台）の移動により読み取る方式をいう。一方、流し読み方式とは、搬送ベルトで搬送されている原稿を、所定の原稿読取位置に読取手段（例えば光学台）を固定させて画像を読み取る方式をいう。
【００４４】
ＡＤＦ２０１は、流し読み方式に用いるものである。
【００４５】
このＡＤＦ２０１は、セットされた複数のシート状の原稿２０２を、複数の搬送ローラ２０３〜２０７及び搬送ベルト２１０によって、順次、スキャナ本体１０１に設けられた、透光部材（第１の透光部材）としての流し読みガラス１０２に搬送して、再び回収する機能を備える。
【００４６】
搬送ベルト２１０は、ベルトの駆動力を付与する駆動ローラ２０８と、ベルトに従動する従動ローラ２０９によって駆動されるように構成されており、原稿２０２を流し読みガラス１０２の表面に摺接させながら搬送させるものである。
【００４７】
また、ＡＤＦ２０１搬送ベルト２１０あるいは搬送ベルト２１０によって搬送される原稿２０２を、流し読みガラス１０２の表面に摺接させるための圧接手段を備えている。
【００４８】
この圧接手段は、搬送ベルト２１０を直接圧接するように、搬送ベルト２１０を押し付ける圧接部材としてのコロ２１１と、このコロ２１１を搬送ベルト２１０に向けて押圧する押圧部材としてのバネ２１２と、を備える。
【００４９】
ここで、駆動ローラ２０８及び従動ローラ２０９に搬送ベルト２１０が懸架されたのみの状態では、搬送ベルト２１０が流し読みガラス１０２の表面に接触しない状態となるように、搬送ベルト２１０，駆動ローラ２０８及び従動ローラ２０９は配置されている。
【００５０】
そして、上記の圧接手段により搬送ベルト２１０を圧接することによって、流し読みガラス１０２の表面のうち、画像読取領域を含む僅かな領域でのみ、搬送ベルト２１０が流し読みガラス１０２の表面に摺接するようにしている。
【００５１】
この摺接する領域は、各種部材の寸法等の誤差を考慮した上で、画像読取が安定して行うことのできる最小範囲で十分である。
【００５２】
流し読み方式における読取位置付近における、本実施の形態の構成について、更に詳細に説明する。
【００５３】
本実施の形態においては、コロ２１１はスキャナ本体１０１の流し読み位置の直上または直近に設けられており、バネ２１２の働きにより、このコロ２１１は搬送ベルト２１０を流し読みガラス１０２に対して押し付けている。
【００５４】
搬送ベルト２１０と流し読みガラス１０２の間を原稿が通過する過程で、スキャナ本体１０１に設けられた読取手段としての第１の光学台１０９によって、光学的に走査されて、原稿の画像情報が読み取られる。
【００５５】
ここで、駆動ローラ２０８および従動ローラ２０９は、これらの下端が、図２に示すように流し読みガラス１０２の上面よりも若干高い位置（図２におけるｈの高さ）になるように配置されている。
【００５６】
そのため搬送ベルト２１０は、その自重と付勢されたコロ２１１の働きにのみによって流し読みガラス１０２に押し付けられる構成となっている。
【００５７】
次に、スキャナ本体１０１の構成等について説明する。
【００５８】
スキャナ本体１０１は、原稿を照射する光源１０３と、光源１０３による照射により得られた原稿画像を含む光を所定方向に導くためのミラー１０４，１０５，１０６と、導かれた光を集光するためのレンズ１０７と、光学的な画像情報を電気的な画像情報に変換するためのＣＣＤ１０８と、を有する。
【００５９】
光源１０３およびミラー１０４は、読取手段としての第１の光学台１０９に取り付けられている。一方、ミラー１０５，１０６は第２の光学台１１０に取り付けられている。
【００６０】
第１の光学台１０９及び第２の光学台１１０は、ワイヤによってステッピングモータ（不図示）と結ばれ、ステッピングモータの回転により原稿台ガラス１１１と平行に移動制御される。
【００６１】
ポジションセンサ１１２は、第１の光学台１０９のホームポジションを検知するセンサである。
【００６２】
固定読取方式により画像を読み取る場合には、第２の透光部材としての原稿台ガラス１１１上に原稿を固定する。
【００６３】
そして、上記ホームポジションを基準として、ステッピングモータ３０１を正転あるいは逆転することにより、第１の光学台１０９及び第２の光学台１１０を移動させて、原稿台ガラス１１１上の原稿を走査する。
【００６４】
一方、流し読み方式により画像を読み取る場合には、上記の通りＡＤＦ２０１を用いる。
【００６５】
そして、ＡＤＦ２０１から搬送されてくる原稿２０２の画像を読み取る際には、ステッピングモータ（不図示）によって、予め設定された流し読み位置に第１の光学台１０９を移動させ、この第１の光学台１０９を静止させる。
【００６６】
原稿２０２は、上記の通り、搬送ローラ２０３〜２０７および搬送ベルト２１０によって搬送される。そして、原稿２０２が流し読みガラス１０２と搬送ベルト２１０の間を通過する過程で、光源１０３によって光が照射され、第１ミラー１０４，第２ミラー１０５，第３ミラー１０６、及びレンズ１０７を介してＣＣＤ１０８に光学的に読み取られる。
【００６７】
以上のように、本実施の形態では、流し読み方式による読取位置にのみ、搬送ベルトで原稿シートを搬送できる構成とすればよいので、搬送ベルトをコンパクトにすることができる。従って、装置全体として小型化及びコストダウンを図ることができる。
【００６８】
また、画像読取に必要な最小限の部分でのみ、原稿シートが流し読みガラスに摺接するようにすればよいので、搬送ベルトの駆動トルクを小さくすることができる。従って、搬送ベルトの駆動機構を簡素化及び小型化できる。
【００６９】
また、摺動範囲が狭いことから、搬送ベルトの滑らかな駆動が可能となり、かつ、搬送ベルト及び流し読みガラスの摩耗を低減できる。
【００７０】
更に、駆動トルクが小さくて済むことから、駆動トルクによる搬送ベルトの流し読みガラスに対する浮きを低減できる。従って、原稿シートが押さえられなくなることを防止でき、また、搬送ベルトの振動を防止できるため、原稿画像の安定した読み取りを行うことができる。
【００７１】
なお、図１においては、搬送ベルトに従動する従動ローラが１つである例について示したが、勿論、複数の従動ローラを設けるようにしても良い。例えば、図３に示すように、２つの従動ローラ２０９を備えるようにしてもよいし、図４に示すように、３つの従動ローラ２０９を備えてもよいし、それ以上従動ローラを設ける構成としてもよい。
【００７２】
（第２の実施の形態）
図５には、第２の実施の形態が示されている。上記第１の実施の形態では、圧接手段によって、搬送ベルトの１箇所（読取位置）のみを圧接する構成を示したが、本実施の形態では、圧接手段によって、搬送ベルトの複数箇所（読取位置の前後の２箇所）を圧接する構成を示す。
【００７３】
その他の構成および作用については第１の実施の形態と同一なので、適宜、その説明は省略する。
【００７４】
図５は本発明の第２の実施の形態に係る画像読取装置（デジタルスキャナ）の模式的断面図である。
【００７５】
本実施の形態では搬送ベルトを流し読みガラスに押し付けるための、圧接部材としてのコロを複数設けて、複数箇所で搬送ベルトを圧接している。
【００７６】
図５において、４０１は搬送ベルト、４０２は搬送ベルト４０１を駆動する駆動ローラ、４０３は搬送ベルト４０１に従動する従動ローラ、４０４は流し読みガラスである。
【００７７】
本実施の形態では、圧接手段が２つ設けられている。一つは、搬送ベルト４０１を直接圧接するように、搬送ベルト４０１を流し読みガラス４０４に押し付けるためのコロ４０５と、コロ４０５を搬送ベルト４０１に対して付勢するための押圧部材としてのバネ４０７で構成される。もう一つも、同様な構成であり、コロ４０６とバネ４０８で構成される。
【００７８】
コロ４０５とコロ４０６は、流し読み方式における読取位置を挟んで前後（搬送ベルトによる搬送方向の上流側と下流側）に設けられている。これにより、搬送ベルト４０１を流し読みガラス４０４に押し付けることによって、読み取り位置付近の搬送ベルト４０１を平坦に保っている。
【００７９】
また、上記第１の実施の形態と同様に、駆動ローラ４０２および従動ローラ４０３の下端は流し読みガラス４０４の上面よりも若干高い位置になるよう構成されている。従って、搬送ベルト４０１はその自重と付勢されたコロ４０５とコロ４０６の働きのみによって流し読みガラス４０４に押し付けられている。
【００８０】
このような構成で、搬送ベルト４０１と流し読みガラス４０４の間を原稿が通過する過程で、第１の実施の形態と同様に原稿画像が光学的に読み取られる。
【００８１】
以上のような構成により、上記第１の実施の形態の場合と同様の効果を得ることができる。
【００８２】
なお、図５においてはコロを２個設けた例について説明したが、それ以上、たとえば３個であるような構成であっても同様の効果が得られることは言うまでもない。また、上記第１の実施の形態でも説明したように、搬送ベルトに従動する従動ローラが２つ以上設けられているような構成としてもよい。
【００８３】
（第３の実施の形態）
図６には、第３の実施の形態が示されている。上記第１・第２の実施の形態では、圧接手段を、圧接部材（コロ）と押圧部材（バネ）によって構成する場合を示したが、本実施の形態では、圧接手段を弾性層を有するローラで構成する場合を示す。
【００８４】
その他の構成および作用については第１の実施の形態と同一なので、適宜、その説明は省略する。
【００８５】
図６は本発明の第３の実施の形態に係る画像読取装置（デジタルスキャナ）の模式的断面図である。
【００８６】
図６において、５０１は搬送ベルト、５０２は搬送ベルト５０１を駆動する駆動ローラ、５０３は搬送ベルト５０１に従動する従動ローラ、５０４は流し読みガラスである。
【００８７】
そして、５０５は、搬送ベルト５０１を流し読みガラス５０４に押し付けるために設けられた、圧接手段としての弾性ローラである。
【００８８】
この弾性ローラ５０５は、弾性素材からなる弾性層を有する。ただし、ローラ表面が弾性反発力を有する構成であればよく、例えば、ローラ全体が弾性素材からなるような一層構造としてもよいし、内部が剛体で表面側に弾性層を備えるような複数層構造としてもよい。
【００８９】
弾性ローラ５０５は、流し読み方式における読取位置の直上または直近に設けられている。そして、弾性ローラ５０５の高さは、ローラの下端が搬送ベルト５０１の裏面に押し付けられるような高さに設定されている。
【００９０】
このため、弾性ローラ５０５は、ローラ自体の弾性によって搬送ベルト５０１を流し読みガラス５０４に押し付ける働きをする。
【００９１】
一方、上記各実施の形態と同様に、駆動ローラ５０２および従動ローラ５０３の下端は流し読みガラス５０４の上面よりも若干高い位置になるよう構成されている。従って、搬送ベルト５０１はその自重と弾性ローラ５０５の働きのみによって流し読みガラス５０４に押し付けられている。
【００９２】
以上のような構成により、上記第１の実施の形態の場合と同様の効果を得ることができる。
【００９３】
このような構成で、搬送ベルト５０１と流し読みガラス５０４の間を原稿が通過する過程で、第１の実施の形態と同様に原稿画像が光学的に読み取られる。
【００９４】
なお、図６においては弾性ローラが１個である例について説明したが、上記第２の実施の形態と同様に２個以上、たとえば３個であるような構成であっても同様の効果が得られる。
【００９５】
また、本実施の形態では弾性ローラ５０５はその弾性のみによって搬送ベルト５０１を流し読みガラス５０４に押し付ける構成となっているが、上記各実施の形態におけるコロと同様にバネ等の付勢手段によって弾性ローラを搬送ベルトに押し付けるような構成をとっても同様の効果が得られる。
【００９６】
さらに、上記第１の実施の形態でも説明したように、搬送ベルトに従動する従動ローラが２つ以上設けられているような構成としてもよい。
【００９７】
（その他）
上記各実施の形態においては、読取手段が、光電変換素子（ＣＣＤ）に画像情報を導くための走査体（光学台）である場合を例にして説明したが、これに限るものではない。
【００９８】
例えば、読取手段が、いわゆる電子写真装置において感光体に画像情報を導くための走査体であってもよい。また、読取手段が、光電変換素子（ＣＣＤ）を直接走査のために移動させるように構成されている、いわゆる密着型イメージセンサであってもよい。
【００９９】
【発明の効果】
以上説明したように、本発明は、簡易な構成で、原稿シートの搬送の安定化を図ることができる。
【図面の簡単な説明】
【図１】本発明の第１の実施の形態に係る画像読取装置の模式的断面図である。
【図２】図１における主要部の拡大図である。
【図３】本発明の第１の実施の形態に係る画像読取装置（変形例）の模式的断面図である。
【図４】本発明の第１の実施の形態に係る画像読取装置（変形例）の模式的断面図である。
【図５】本発明の第２の実施の形態に係る画像読取装置の模式的断面図である。
【図６】本発明の第３の実施の形態に係る画像読取装置の模式的断面図である。
【符号の説明】
１０１  スキャナ本体
１０２  流し読みガラス
１０３  光源
１０４，１０５，１０６  ミラー
１０７  レンズ
１０９  第１の光学台
１１０  第２の光学台
１１１  原稿台ガラス
１１２  ポジションセンサ
２０１  ＡＤＦ
２０２  原稿
２０３  搬送ローラ
２０８  駆動ローラ
２０９  従動ローラ
２１０  搬送ベルト
２１１  コロ
２１２  バネ
３０１  ステッピングモータ
４０１  搬送ベルト
４０２  駆動ローラ
４０３  従動ローラ
４０４  流し読みガラス
４０５，４０６  コロ
４０７，４０８  バネ
５０１  搬送ベルト
５０２  駆動ローラ
５０３  従動ローラ
５０４  流し読みガラス
５０５  弾性ローラ
【図１】
0004898031.tif 000002
【図２】
0004898031.tif 000003
【図３】
0004898031.tif 000004
【図４】
0004898031.tif 000005
【図５】
0004898031.tif 000006
【図６】
0004898031.tif 000007